【手続補正書】
【提出日】平成31年4月16日(2019.4.16)
【手続補正１】
【補正対象書類名】特許請求の範囲
【補正対象項目名】全文
【補正方法】変更
【補正の内容】
【特許請求の範囲】
【請求項１】
ＲｅＮＡＴ通信を行うシステムであって、ネットワーク運営センター（ＮＯＣ）を備え、前記ＮＯＣは、
プライベートネットワークとの仮想プライベートネットワーク（ＶＰＮ）通信を開始する第１の従来のＶＰＮと、
前記第１の従来のＶＰＮに結合されたＲｅＮＡＴ双方向ＮＡＴであって、前記ＲｅＮＡＴ双方向ＮＡＴは、顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記システムに、従来のＶＰＮクライアント及びＲｅＮＡＴ双方向ＮＡＴクライアントを有するユーザワークステーションとの通信を促進させ、前記プライベートネットワークを用いてデータを送信する際に、前記ＮＯＣは、従来のＶＰＮポータルを介してデータを受信し、アドレス変換が、前記ＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
前記プライベートネットワークを更に備え、前記プライベートネットワークは、遠隔コンピューティング装置及びゲートウェイ装置を有するシステム。
【請求項２】
ＲｅＮＡＴ通信を行うシステムであって、ネットワーク運営センター（ＮＯＣ）を備え、前記ＮＯＣは、
プライベートネットワークとの仮想プライベートネットワーク（ＶＰＮ）通信を開始する第１の従来のＶＰＮと、
前記第１の従来のＶＰＮに結合されたＲｅＮＡＴ双方向ＮＡＴであって、前記ＲｅＮＡＴ双方向ＮＡＴは、顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記システムに、従来のＶＰＮクライアント及びＲｅＮＡＴ双方向ＮＡＴクライアントを有するユーザワークステーションとの通信を促進させ、前記プライベートネットワークを用いてデータを送信する際に、前記ＮＯＣは、従来のＶＰＮポータルを介してデータを受信し、アドレス変換が、前記ＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
前記プライベートネットワークにロギングするためのユーザログインオプションを前記システムによって提供させるログインマネージャを更に備えるシステム。
【請求項３】
ＲｅＮＡＴ通信を行うシステムであって、ネットワーク運営センター（ＮＯＣ）を備え、前記ＮＯＣは、
プライベートネットワークとの仮想プライベートネットワーク（ＶＰＮ）通信を開始する第１の従来のＶＰＮと、
前記第１の従来のＶＰＮに結合されたＲｅＮＡＴ双方向ＮＡＴであって、前記ＲｅＮＡＴ双方向ＮＡＴは、顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記システムに、従来のＶＰＮクライアント及びＲｅＮＡＴ双方向ＮＡＴクライアントを有するユーザワークステーションとの通信を促進させ、前記プライベートネットワークを用いてデータを送信する際に、前記ＮＯＣは、従来のＶＰＮポータルを介してデータを受信し、アドレス変換が、前記ＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
複数のユーザ組織内の複数のコンピューティング装置のＩＰアドレスを管理するとともに前記複数のコンピューティング装置の各々が固有のＩＰアドレスを有することを保証するクリアテキストコンポーネントを更に備えるシステム。
【請求項４】
ＲｅＮＡＴ通信を行うシステムであって、ネットワーク運営センター（ＮＯＣ）を備え、前記ＮＯＣは、
プライベートネットワークとの仮想プライベートネットワーク（ＶＰＮ）通信を開始する第１の従来のＶＰＮと、
前記第１の従来のＶＰＮに結合されたＲｅＮＡＴ双方向ＮＡＴであって、前記ＲｅＮＡＴ双方向ＮＡＴは、顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記システムに、従来のＶＰＮクライアント及びＲｅＮＡＴ双方向ＮＡＴクライアントを有するユーザワークステーションとの通信を促進させ、前記プライベートネットワークを用いてデータを送信する際に、前記ＮＯＣは、従来のＶＰＮポータルを介してデータを受信し、アドレス変換が、前記ＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
通信を行う遠隔コンピューティング装置を識別するデータを提供するセッションマネージャを更に備えるシステム。
【請求項５】
ＲｅＮＡＴ通信を行うシステムであって、ネットワーク運営センター（ＮＯＣ）を備え、前記ＮＯＣは、
プライベートネットワークとの仮想プライベートネットワーク（ＶＰＮ）通信を開始する第１の従来のＶＰＮと、
前記第１の従来のＶＰＮに結合されたＲｅＮＡＴ双方向ＮＡＴであって、前記ＲｅＮＡＴ双方向ＮＡＴは、顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記システムに、従来のＶＰＮクライアント及びＲｅＮＡＴ双方向ＮＡＴクライアントを有するユーザワークステーションとの通信を促進させ、前記プライベートネットワークを用いてデータを送信する際に、前記ＮＯＣは、従来のＶＰＮポータルを介してデータを受信し、アドレス変換が、前記ＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
前記ＲｅＮＡＴ双方向ＮＡＴクライアント及び前記ＲｅＮＡＴ双方向ＮＡＴは、前記ユーザワークステーション及び前記プライベートネットワークがそれぞれの内部のプライベートＩＰアドレスのみを確かめるようにするために顧客に割り当てられたプライベートＩＰアドレスとＲｅＮＡＴ割当てＵＰＩＰとの間の変換を行うよう調整されるシステム。
【請求項６】
ＲｅＮＡＴ通信を行うシステムであって、ネットワーク運営センター（ＮＯＣ）を備え、前記ＮＯＣは、
プライベートネットワークとの仮想プライベートネットワーク（ＶＰＮ）通信を開始する第１の従来のＶＰＮと、
前記第１の従来のＶＰＮに結合されたＲｅＮＡＴ双方向ＮＡＴであって、前記ＲｅＮＡＴ双方向ＮＡＴは、顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記システムに、従来のＶＰＮクライアント及びＲｅＮＡＴ双方向ＮＡＴクライアントを有するユーザワークステーションとの通信を促進させ、前記プライベートネットワークを用いてデータを送信する際に、前記ＮＯＣは、従来のＶＰＮポータルを介してデータを受信し、アドレス変換が、前記ＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
前記ＲｅＮＡＴ双方向ＮＡＴは、それぞれのコンピューティング装置に対して固有のプライベートＩＰアドレス（ＵＰＩＰ）を割り当てるシステム。
【請求項７】
顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記プロセッサに、プライベートネットワークのユーザワークステーションと遠隔コンピューティング装置との通信を促進させ、前記通信を促進させることは、従来のＶＰＮポータルを介してデータを受信することを含み、アドレス変換が、前記ユーザワークステーションのＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
前記プライベートネットワークを更に備え、前記プライベートネットワークは、遠隔コンピューティング装置及びゲートウェイ装置を有するネットワーク運営センター（ＮＯＣ）。
【請求項８】
顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記プロセッサに、プライベートネットワークのユーザワークステーションと遠隔コンピューティング装置との通信を促進させ、前記通信を促進させることは、従来のＶＰＮポータルを介してデータを受信することを含み、アドレス変換が、前記ユーザワークステーションのＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
前記プライベートネットワークにロギングするためのユーザログインオプションを前記プロセッサによって提供させるログインマネージャを更に備えるネットワーク運営センター（ＮＯＣ）。
【請求項９】
顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記プロセッサに、プライベートネットワークのユーザワークステーションと遠隔コンピューティング装置との通信を促進させ、前記通信を促進させることは、従来のＶＰＮポータルを介してデータを受信することを含み、アドレス変換が、前記ユーザワークステーションのＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
複数のユーザ組織内の複数のコンピューティング装置のＩＰアドレスを管理するとともに前記複数のコンピューティング装置の各々が固有のＩＰアドレスを有することを保証するクリアテキストコンポーネントを更に備えるネットワーク運営センター（ＮＯＣ）。
【請求項１０】
顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記プロセッサに、プライベートネットワークのユーザワークステーションと遠隔コンピューティング装置との通信を促進させ、前記通信を促進させることは、従来のＶＰＮポータルを介してデータを受信することを含み、アドレス変換が、前記ユーザワークステーションのＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
通信を行う遠隔コンピューティング装置を識別するデータを提供するセッションマネージャを更に備えるネットワーク運営センター（ＮＯＣ）。
【請求項１１】
顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記プロセッサに、プライベートネットワークのユーザワークステーションと遠隔コンピューティング装置との通信を促進させ、前記通信を促進させることは、従来のＶＰＮポータルを介してデータを受信することを含み、アドレス変換が、前記ユーザワークステーションのＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
前記ＲｅＮＡＴ双方向ＮＡＴクライアント及び前記ＲｅＮＡＴ双方向ＮＡＴは、前記ユーザワークステーション及び前記プライベートネットワークがそれぞれの内部のプライベートＩＰアドレスのみを確かめるようにするために顧客に割り当てられたプライベートＩＰアドレスとＲｅＮＡＴ割当てＵＰＩＰとの間の変換を行うよう調整されるネットワーク運営センター（ＮＯＣ）。
【請求項１２】
顧客に割り当てられたプライベートＩＰアドレスと固有のプライベートＩＰ（ＵＰＩＰ）アドレスとの間の変換を行うＲｅＮＡＴ双方向ＮＡＴと、
前記ＲｅＮＡＴ双方向ＮＡＴに結合されたＲｅＮＡＴ  ＶＰＮコンポーネントであって、前記ＲｅＮＡＴ  ＶＰＮコンポーネントは、前記ＲｅＮＡＴ双方向ＮＡＴにソースＩＰアドレスを提供するＲｅＮＡＴ  ＶＰＮコンポーネントと、
プロセッサによって実行されるときに、前記プロセッサに、プライベートネットワークのユーザワークステーションと遠隔コンピューティング装置との通信を促進させ、前記通信を促進させることは、従来のＶＰＮポータルを介してデータを受信することを含み、アドレス変換が、前記ユーザワークステーションのＲｅＮＡＴ双方向ＮＡＴクライアントによって実行される論理と、を備え、
前記ＲｅＮＡＴ双方向ＮＡＴは、前記データのアドレスを、顧客規定プライベートアドレスにマッピングし、前記ＲｅＮＡＴ  ＶＰＮは、前記データを暗号化し、前記データを前記プライベートネットワークに転送し、
前記ＲｅＮＡＴ双方向ＮＡＴは、それぞれのコンピューティング装置に対して固有のプライベートＩＰアドレス（ＵＰＩＰ）を割り当てるネットワーク運営センター（ＮＯＣ）。
【請求項１３】
コンピューティング装置によって実行させるときに、
プライベートネットワークとのＶＰＮ通信を開始することと、
顧客に割り当てられたプライベートＩＰアドレスと固有のプライベートＩＰ（ＵＰＩＰ）アドレスとの間の変換を行うことと、
ソースＩＰアドレスをＲｅＮＡＴ双方向ＮＡＴに提供することと、
ユーザワークステーションとの通信を促進することであって、データの通信は、従来のＶＰＮポータルを介してデータを受信することを含み、アドレス変換が、前記ユーザワークステーションのＲｅＮＡＴ双方向ＮＡＴクライアントによって実行されることと、
前記データのアドレスを、顧客規定プライベートアドレスにマッピングすることと、
前記データを暗号化するとともに前記データを前記プライベートネットワークに転送することと、を前記コンピューティング装置によって少なくとも実行させる論理を記憶し、
前記プライベートネットワークを更に備え、前記プライベートネットワークは、遠隔コンピューティング装置及びゲートウェイ装置を有する非一時的なコンピュータ可読媒体。
【請求項１４】
コンピューティング装置によって実行させるときに、
プライベートネットワークとのＶＰＮ通信を開始することと、
顧客に割り当てられたプライベートＩＰアドレスと固有のプライベートＩＰ（ＵＰＩＰ）アドレスとの間の変換を行うことと、
ソースＩＰアドレスをＲｅＮＡＴ双方向ＮＡＴに提供することと、
ユーザワークステーションとの通信を促進することであって、データの通信は、従来のＶＰＮポータルを介してデータを受信することを含み、アドレス変換が、前記ユーザワークステーションのＲｅＮＡＴ双方向ＮＡＴクライアントによって実行されることと、
前記データのアドレスを、顧客規定プライベートアドレスにマッピングすることと、
前記データを暗号化するとともに前記データを前記プライベートネットワークに転送することと、を前記コンピューティング装置によって少なくとも実行させる論理を記憶し、
前記プライベートネットワークにロギングするためのユーザログインオプションを前記コンピューティング装置によって提供させるログインマネージャを更に備える記載の非一時的なコンピュータ可読媒体。
【請求項１５】
コンピューティング装置によって実行させるときに、
プライベートネットワークとのＶＰＮ通信を開始することと、
顧客に割り当てられたプライベートＩＰアドレスと固有のプライベートＩＰ（ＵＰＩＰ）アドレスとの間の変換を行うことと、
ソースＩＰアドレスをＲｅＮＡＴ双方向ＮＡＴに提供することと、
ユーザワークステーションとの通信を促進することであって、データの通信は、従来のＶＰＮポータルを介してデータを受信することを含み、アドレス変換が、前記ユーザワークステーションのＲｅＮＡＴ双方向ＮＡＴクライアントによって実行されることと、
前記データのアドレスを、顧客規定プライベートアドレスにマッピングすることと、
前記データを暗号化するとともに前記データを前記プライベートネットワークに転送することと、を前記コンピューティング装置によって少なくとも実行させる論理を記憶し、
複数のユーザ組織内の複数のコンピューティング装置のＩＰアドレスを管理するとともに前記複数のコンピューティング装置の各々が固有のＩＰアドレスを有することを保証するクリアテキストコンポーネントを更に備える非一時的なコンピュータ可読媒体。
【請求項１６】
コンピューティング装置によって実行させるときに、
プライベートネットワークとのＶＰＮ通信を開始することと、
顧客に割り当てられたプライベートＩＰアドレスと固有のプライベートＩＰ（ＵＰＩＰ）アドレスとの間の変換を行うことと、
ソースＩＰアドレスをＲｅＮＡＴ双方向ＮＡＴに提供することと、
ユーザワークステーションとの通信を促進することであって、データの通信は、従来のＶＰＮポータルを介してデータを受信することを含み、アドレス変換が、前記ユーザワークステーションのＲｅＮＡＴ双方向ＮＡＴクライアントによって実行されることと、
前記データのアドレスを、顧客規定プライベートアドレスにマッピングすることと、
前記データを暗号化するとともに前記データを前記プライベートネットワークに転送することと、を前記コンピューティング装置によって少なくとも実行させる論理を記憶し、
通信を行う遠隔コンピューティング装置を識別するデータを提供するセッションマネージャを更に備える非一時的なコンピュータ可読媒体。
【請求項１７】
コンピューティング装置によって実行させるときに、
プライベートネットワークとのＶＰＮ通信を開始することと、
顧客に割り当てられたプライベートＩＰアドレスと固有のプライベートＩＰ（ＵＰＩＰ）アドレスとの間の変換を行うことと、
ソースＩＰアドレスをＲｅＮＡＴ双方向ＮＡＴに提供することと、
ユーザワークステーションとの通信を促進することであって、データの通信は、従来のＶＰＮポータルを介してデータを受信することを含み、アドレス変換が、前記ユーザワークステーションのＲｅＮＡＴ双方向ＮＡＴクライアントによって実行されることと、
前記データのアドレスを、顧客規定プライベートアドレスにマッピングすることと、
前記データを暗号化するとともに前記データを前記プライベートネットワークに転送することと、を前記コンピューティング装置によって少なくとも実行させる論理を記憶し、
前記ＲｅＮＡＴ双方向ＮＡＴクライアント及び前記ＲｅＮＡＴ双方向ＮＡＴは、前記ユーザワークステーション及び前記プライベートネットワークがそれぞれの内部のプライベートＩＰアドレスのみを確かめるようにするために顧客に割り当てられたプライベートＩＰアドレスとＲｅＮＡＴ割当てＵＰＩＰとの間の変換を行うよう調整される非一時的なコンピュータ可読媒体。
【請求項１８】
デュアルネットワークアドレス変換を行うシステムであって、
記憶部を有するネットワーク運営センター（ＮＯＣ）を備え、前記記憶部は、プロセッサによって実行されるときに、
広域ネットワークを横切ってクライアントワークステーションと遠隔コンピューティング装置との間で通信されるデータに対するパブリックソースアドレスから割り当てられた固有のプライベートアドレスへの変換及び割り当てられた固有のプライベートアドレスからパブリック宛先アドレスへの変換を行うことであって、組み込まれたＩＰアドレスを有するアプリケーションを管理するためのゲートウェイ機能を有することと、
パブリックソースアドレス及びパブリック宛先アドレスを有するプライベートＲＥＮＡＴ規定プロトコルにラッピングされたパケットを有するＲｅＮＡＴ仮想プライベートネットワークにデータを送信することと、
前記データの固有のプライベートアドレスを顧客規定プライベートＩＰアドレスにマッピングすることと、を前記システムによって少なくとも実行させる論理を記憶するシステム。
【請求項１９】
前記論理によって、更に、前記システムは、ＩＰアドレスのファミリーをプライベートアドレス体系に割り当て、前記ＩＰアドレスのファミリーは、ＩＰｖ４とＩＰｖ６の少なくとも一方を有する請求項１８に記載のシステム。
【請求項２０】
複数のＩＰアドレスを、前記ＮＯＣにおいて、複数のプライベートアドレス体系の各々に対して一つ割り当てる請求項１８に記載のシステム。
【請求項２１】
前記ＮＯＣは、各々が固有のネットワーク内アドレスを有するプライベートアドレス体系の全てのコンピューティング装置に対して単一のＩＰアドレスを関連付ける請求項１８に記載のシステム。
【請求項２２】
前記ＮＯＣは、従来のＶＰＮコンポーネント、従来のクリアテキスト処理コンポーネント、ＲｅＮＡＴ双方向ＮＡＴ及びＲｅＮＡＴ  ＶＰＮの少なくとも一つを備える請求項２１に記載のシステム。
【請求項２３】
ＲｅＮＡＴ双方向ＮＡＴを更に備え、前記ＲｅＮＡＴ双方向ＮＡＴは、前記クライアントワークステーション及び前記広域ネットワークが任意のＩＰアドレス変換に気付かない間にプライベートネットワークの前記クライアントワークステーションから遠隔ネットワークの前記遠隔コンピューティング装置への変換を促進するＮＡＴ関係を記憶する請求項１８に記載のシステム。
【請求項２４】
前記クライアントワークステーションを更に備え、前記クライアントワークステーションは、固有のＩＰアドレスが異なるプライベートアドレス体系に割り当てられるように、顧客に割り当てられたプライベートＩＰアドレスと割り当てられた固有のプライベートインターネットプロトコル（ＵＰＩＰ）との間の相互の関連付けを行うためのＲｅＮＡＴデュアル双方向ＮＡＴクライアントを備える請求項２３に記載のシステム。
【請求項２５】
デュアルネットワークアドレス変換を行う方法であって、
広域ネットワークを横切ってクライアントワークステーションと遠隔コンピューティング装置との間で通信されるデータに対するパブリックソースアドレスから割り当てられた固有のプライベートアドレスへの変換及び割り当てられた固有のプライベートアドレスからパブリック宛先アドレスへの変換を、ネットワーク運営センター（ＮＯＣ）のプロセッサによって行うことであって、組み込まれたＩＰアドレスを有するアプリケーションを管理するためのゲートウェイ機能を有することと、
前記ＮＯＣの前記プロセッサによって、パブリックソースアドレス及びパブリック宛先アドレスを有するプライベートＲＥＮＡＴ規定プロトコルにラッピングされたパケットを有するＲｅＮＡＴ仮想プライベートネットワークにデータを送信することと、
前記ＮＯＣの前記プロセッサによって、前記データの固有のプライベートアドレスを顧客規定プライベートＩＰアドレスにマッピングすることと、
を備える方法。
【請求項２６】
ＩＰアドレスのファミリーをプライベートアドレス体系に割り当てることを更に備え、前記ＩＰアドレスのファミリーは、ＩＰｖ４とＩＰｖ６の少なくとも一方を有する請求項２５に記載の方法。
【請求項２７】
複数のＩＰアドレスを、前記ＮＯＣにおいて、複数のプライベートアドレス体系の各々に対して一つ割り当てる請求項２５に記載の方法。
【請求項２８】
各々が固有のネットワーク内アドレスを有するプライベートアドレス体系の全てのコンピューティング装置に対して単一のＩＰアドレスを関連付ける請求項２５に記載の方法。
【請求項２９】
前記クライアントワークステーション及び前記広域ネットワークが任意のＩＰアドレス変換に気付かない間にプライベートネットワークの前記クライアントワークステーションから遠隔ネットワークの前記遠隔コンピューティング装置への変換を促進するＮＡＴ関係を記憶することを更に備える請求項２５に記載の方法。
【請求項３０】
固有のＩＰアドレスが異なるプライベートアドレス体系に割り当てられるように、顧客に割り当てられたプライベートＩＰアドレスと割り当てられた固有のプライベートインターネットプロトコル（ＵＰＩＰ）との間の相互の関連付けを行うことを更に備える請求項２５に記載の方法。
【請求項３１】
デュアルネットワークアドレス変換を行う非一時的なコンピュータ可読媒体であって、プロセッサによって実行されるときに、
広域ネットワークを横切ってクライアントワークステーションと遠隔コンピューティング装置との間で通信されるデータに対するパブリックソースアドレスから割り当てられた固有のプライベートアドレスへの変換及び割り当てられた固有のプライベートアドレスからパブリック宛先アドレスへの変換を行うことであって、組み込まれたＩＰアドレスを有するアプリケーションを管理するためのゲートウェイ機能を有することと、
パブリックソースアドレス及びパブリック宛先アドレスを有するプライベートＲＥＮＡＴ規定プロトコルにラッピングされたパケットを有するＲｅＮＡＴ仮想プライベートネットワークにデータを送信することと、
前記データの固有のプライベートアドレスを顧客規定プライベートＩＰアドレスにマッピングすることと、
を前記プロセッサによって少なくとも実行させる論理を備える非一時的なコンピュータ可読媒体。
【請求項３２】
前記論理によって、更に、前記プロセッサは、ＩＰアドレスのファミリーをプライベートアドレス体系に割り当て、前記ＩＰアドレスのファミリーは、ＩＰｖ４とＩＰｖ６の少なくとも一方を有する請求項３１に記載の非一時的なコンピュータ可読媒体。
【請求項３３】
複数のＩＰアドレスを、ネットワーク運営センター（ＮＯＣ）側において、複数のプライベートアドレス体系の各々に対して一つ割り当てる請求項３１に記載の非一時的なコンピュータ可読媒体。
【請求項３４】
前記論理によって、前記プロセッサは、各々が固有のネットワーク内アドレスを有するプライベートアドレス体系の全てのコンピューティング装置に対して単一のＩＰアドレスを関連付ける請求項３１に記載の非一時的なコンピュータ可読媒体。
【請求項３５】
前記論理は、従来のＶＰＮコンポーネントを実現する論理、従来のクリアテキスト処理コンポーネントを実現する論理、ＲｅＮＡＴ双方向ＮＡＴを実現する論理及びＲｅＮＡＴ  ＶＰＮを実現する論理の少なくとも一つを備える請求項３１に記載の非一時的なコンピュータ可読媒体。
【請求項３６】
前記論理によって、前記プロセッサは、前記クライアントワークステーション及び前記広域ネットワークが任意のＩＰアドレス変換に気付かない間にプライベートネットワークの前記クライアントワークステーションから遠隔ネットワークの前記遠隔コンピューティング装置への変換を促進するＮＡＴ関係を記憶する請求項３１に記載の非一時的なコンピュータ可読媒体。
【請求項３７】
前記論理は、固有のＩＰアドレスが異なるプライベートアドレス体系に割り当てられるように、顧客に割り当てられたプライベートＩＰアドレスと割り当てられた固有のプライベートインターネットプロトコル（ＵＰＩＰ）との間の相互の関連付けを行うＲｅＮＡＴデュアル双方向ＮＡＴクライアントを有する請求項３１に記載の非一時的なコンピュータ可読媒体。
【請求項３８】
ＲｅＮＡＴ仮想プライベートネットワーク（ＶＰＮ）を提供するシステムであって、ネットワーク運営センター（ＮＯＣ）で実現されるＲｅＮＡＴ仮想プライベートネットワーク（ＶＰＮ）コンポーネントを備え、前記ＮＯＣは、プロセッサによって実行されるときに、
前記ＮＯＣにおいて、プライベートネットワーク上のクライアントワークステーションから外部パケットを受信することと、
前記外部パケットを受信した場所から前記プライベートネットワークを識別するために前記外部パケットに対するソースアドレス指定を行うことと、
前記外部パケットからのデータをＲｅＮＡＴ双方向ＮＡＴから受信することであって、前記ＲｅＮＡＴ双方向ＮＡＴは、前記データに対する宛先パブリックアドレスとパブリックソースアドレスの両方を有することと、
前記データを解読するとともに前記パブリックソースアドレスを有するデータを前記ＲｅＮＡＴ双方向ＮＡＴに転送することと、
を前記システムによって少なくとも実行させる論理を記憶し、
前記ＮＯＣは、広域ネットワークに亘る遠隔コンピューティング装置と前記プライベートネットワークの前記クライアントワークステーションとの間のデータの通信を促進するための前記ＮＯＣ内の仮想プライベートネットワークを提供するシステム。
【請求項３９】
前記外部パケットは、前記パブリックソースアドレス及び前記宛先パブリックアドレスを有するプライベートＲｅＮＡＴ規定ＩＰプロトコルにラッピングされている請求項３８に記載のシステム。
【請求項４０】
前記ＲｅＮＡＴ双方向ＮＡＴは、前記クライアントワークステーションを識別するために前記ＲｅＮＡＴ  ＶＰＮによって提供される前記パブリックソースアドレスを使用する請求項３８に記載のシステム。
【請求項４１】
前記ＲｅＮＡＴ双方向ＮＡＴからＲｅＮＡＴ  ＶＰＮに出ていくパケットは、出ていくパケットを向かわせる前記遠隔コンピューティング装置を識別するための前記宛先パブリックアドレスを有する請求項３８に記載のシステム。
【請求項４２】
前記クライアントワークステーション及び前記遠隔コンピューティング装置は、前記データの内部プライベートＩＰアドレスのみを確かめる請求項３８に記載のシステム。
【請求項４３】
前記ＲｅＮＡＴ双方向ＮＡＴは、顧客割当てプライベートＩＰアドレスとオーバーラップする固有のプライベートＩＰアドレス（ＵＰＩＰ）を割り当て、前記ＵＰＩＰは、前記ＮＯＣ内で固有であり、セッションマネージャによってパブリックＩＰにマッピングされる請求項３８に記載のシステム。
【請求項４４】
従来のＶＰＮコンポーネント、クリアテキストコンポーネント及びＲｅＮＡＴ双方向ＮＡＴの少なくとも一つを更に備える請求項３８に記載のシステム。
【請求項４５】
ＲｅＮＡＴ仮想プライベートネットワーク（ＶＰＮ）を提供する非一時的なコンピュータ可読媒体であって、前記ＲｅＮＡＴ  ＶＰＮは、コンピューティング装置によって実行されるときに、
ＮＯＣにおいて、プライベートネットワーク上のクライアントワークステーションから外部パケットを受信することと、
前記外部パケットを受信した場所から前記プライベートネットワークを識別するために前記外部パケットに対するソースアドレス指定を行うことと、
前記外部パケットからのデータをＲｅＮＡＴ双方向ＮＡＴから受信することであって、前記ＲｅＮＡＴ双方向ＮＡＴは、前記データに対する宛先パブリックアドレスとパブリックソースアドレスの両方を有することと、
前記データを解読するとともに前記パブリックソースアドレスを有するデータを前記ＲｅＮＡＴ双方向ＮＡＴに転送することと、
を前記コンピューティング装置によって少なくとも実行させる論理を記憶し、
前記ＮＯＣは、広域ネットワークに亘る遠隔コンピューティング装置と前記プライベートネットワーク上の前記クライアントワークステーションとの間のデータの通信を促進するための前記ＮＯＣ内の仮想プライベートネットワークを提供する非一時的なコンピュータ可読媒体。
【請求項４６】
前記外部パケットは、前記パブリックソースアドレス及び前記宛先パブリックアドレスを有するプライベートＲｅＮＡＴ規定ＩＰプロトコルにラッピングされている請求項４５に記載の非一時的なコンピュータ可読媒体。
【請求項４７】
前記ＲｅＮＡＴ双方向ＮＡＴは、前記クライアントワークステーションを識別するために前記ＲｅＮＡＴ  ＶＰＮによって提供される前記パブリックソースアドレスを使用する請求項４５に記載の非一時的なコンピュータ可読媒体。
【請求項４８】
前記ＲｅＮＡＴ双方向ＮＡＴからＲｅＮＡＴ  ＶＰＮに出ていくパケットは、出ていくパケットを向かわせる前記遠隔コンピューティング装置を識別するための前記宛先パブリックアドレスを有する請求項４５に記載の非一時的なコンピュータ可読媒体。
【請求項４９】
前記クライアントワークステーション及び前記遠隔コンピューティング装置は、前記データの内部プライベートＩＰアドレスのみを確かめる請求項４５に記載の非一時的なコンピュータ可読媒体。
【請求項５０】
前記ＲｅＮＡＴ双方向ＮＡＴは、顧客割当てプライベートＩＰアドレスとオーバーラップする固有のプライベートＩＰアドレス（ＵＰＩＰ）を割り当て、前記ＵＰＩＰは、前記ＮＯＣ内で固有であり、セッションマネージャによってパブリックＩＰにマッピングされる請求項４５に記載の非一時的なコンピュータ可読媒体。
【請求項５１】
前記論理は、従来のＶＰＮコンポーネント、クリアテキストコンポーネント及びＲｅＮＡＴ双方向ＮＡＴの少なくとも一つを更に備える請求項４５に記載の非一時的なコンピュータ可読媒体。
【請求項５２】
ＲｅＮＡＴ仮想プライベートネットワーク（ＶＰＮ）を提供する方法であって、
ネットワーク運営センター（ＮＯＣ）において、プライベートネットワーク上のクライアントワークステーションから外部パケットを受信することと、
前記外部パケットを受信した場所から前記プライベートネットワークを識別するために前記外部パケットに対するソースアドレス指定を行うことと、
前記外部パケットからのデータをＲｅＮＡＴ双方向ＮＡＴから受信することであって、前記ＲｅＮＡＴ双方向ＮＡＴは、前記データに対する宛先パブリックアドレスとパブリックソースアドレスの両方を有することと、
前記データを解読するとともに前記パブリックソースアドレスを有するデータを前記ＲｅＮＡＴ双方向ＮＡＴに転送することと、
を備え、
前記ＮＯＣは、広域ネットワークに亘る遠隔コンピューティング装置と前記プライベートネットワーク上の前記クライアントワークステーションとの間のデータの通信を促進するための前記ＮＯＣ内の仮想プライベートネットワークを提供する方法。
【請求項５３】
前記外部パケットは、前記パブリックソースアドレス及び前記宛先パブリックアドレスを有するプライベートＲｅＮＡＴ規定ＩＰプロトコルにラッピングされている請求項５２に記載の方法。
【請求項５４】
前記ＲｅＮＡＴ双方向ＮＡＴは、前記クライアントワークステーションを識別するために前記ＲｅＮＡＴ  ＶＰＮによって提供される前記パブリックソースアドレスを使用する請求項５２に記載の方法。
【請求項５５】
前記ＲｅＮＡＴ双方向ＮＡＴからＲｅＮＡＴ  ＶＰＮに出ていくパケットは、出ていくパケットを向かわせる前記遠隔コンピューティング装置を識別するための前記宛先パブリックアドレスを有する請求項５２に記載の方法。
【請求項５６】
前記クライアントワークステーション及び前記遠隔コンピューティング装置は、前記データの内部プライベートＩＰアドレスのみを確かめる請求項５２に記載の方法。
【請求項５７】
顧客割当てプライベートＩＰアドレスとオーバーラップする固有のプライベートＩＰアドレス（ＵＰＩＰ）を割り当てることを更に備え、前記ＵＰＩＰは、前記ＮＯＣ内で固有であり、セッションマネージャによってパブリックＩＰにマッピングされる請求項５２に記載の方法。